(57)【要約】  【課題】過去問の問題配列を変更して問題を提供することができる過去問システムを提供すること。  【解決手段】過去問システムは、システム全体を制御する制御部１１と、問題を表示するディスプレイ１２と、問題配列の変更のモードを選択するモード選択部１３と、問題順序を変更する順序変更部１４と、問題の入れ替えを制御する入れ替え制御部１５と、過去の問題データを格納する問題データベース（ＤＢ）１６と、問題に対する解答・解説データを格納する解答・解説データベース（ＤＢ）１７と、から主に構成される。入れ替え制御部１５は、図１に示すように、同種問題抽出部１５１と、解答振り分け部１５２と、再構成部１５３とから主に構成される。  【選択図】図１
2005266451.tif 000002
【特許請求の範囲】
【請求項１】
複数年度にわたる過去の問題を格納した問題データベースと、前記過去の問題の配列構成を変更する配列変更手段と、前記配列を変更した問題を表示する表示手段と、を具備することを特徴とする過去問システム。
【請求項２】
前記配列変更手段は、前記過去の問題の順序を変更する順序変更手段であることを特徴とする請求項１記載の過去問システム。
【請求項３】
前記順序変更手段は、問題内の選択枝の順序を逆に変更する又は並べ替えることを特徴とする請求項２記載の過去問システム。
【請求項４】
前記配列変更手段は、前記過去の問題において複数年度にわたって入れ替えを行う入れ替え制御手段であることを特徴とする請求項１記載の過去問システム。
【請求項５】
前記入れ替え制御手段は、前記問題データベースから同種の問題を抽出する同種問題抽出手段と、抽出された同種の問題において解答を振り分ける解答振り分け手段と、振り分けられた問題を用いて問題を再構成する再構成手段とを有することを特徴とする請求項４記載の過去問システム。
【請求項６】
前記配列変更手段として、前記順序変更手段又は前記入れ替え制御手段を選択する選択手段を具備することを特徴とする請求項１から請求項５のいずれかに記載の過去問システム。
【請求項７】
複数年にわたる過去の問題に対応する解答・解説を格納する解答・解説データベースを具備することを特徴とする請求項１から請求項６のいずれかに記載の過去問システム。
【発明の詳細な説明】
【技術分野】
【０００１】
本発明は過去問システムに関し、特に過去問の問題配列を変更して問題を提供することができる過去問システムに関する。
【背景技術】
【０００２】
従来、国家試験などの過去問については、過去問題集として書籍で出版している。このような問題集では、その年の問題は一通りであり、何度も繰り返して解答していると問題配列などから解答が推測されてしまうようになり、正確に問題に対して解答したことにならない場合がある。
【０００３】
例えば、複数の選択枝から解答を選択する短答式問題の場合、問題文を変えないで、選択枝の順序を変えたり、他の年度の選択枝との間で選択枝を入れ替えたりすると、新しい問題のような印象になり、上記のような問題はなくなると考えられる。
【０００４】
したがって、問題文を変えないで、選択枝の順序を変えたり、他の年度の選択枝との間で選択枝を入れ替えたりすることを自由に行えるシステムが望まれている。
【発明の開示】
【発明が解決しようとする課題】
【０００５】
本発明はかかる点に鑑みてなされたものであり、過去問の問題配列を変更して問題を提供することができる過去問システムを提供することを目的とする。
【課題を解決するための手段】
【０００６】
本発明の過去問システムは、複数年度にわたる過去の問題を格納した問題データベースと、前記過去の問題の配列構成を変更する配列変更手段と、前記配列を変更した問題を表示する表示手段と、を具備することを特徴とする。
【０００７】
この構成によれば、問題文を変えないで、過去の問題の配列を変更することを自由に行えるので、問題のバリエーションを増やすことができ、ユーザは、問題配列から解答が推測できるという弊害を排除して過去問を解答することができる。
【０００８】
本発明の過去問システムにおいては、前記配列変更手段は、前記過去の問題の順序を変更する順序変更手段であることが好ましい。
【０００９】
本発明の過去問システムにおいては、前記順序変更手段は、問題内の選択枝の順序を逆に変更する又は並べ替えることが好ましい。
【００１０】
本発明の過去問システムにおいては、前記配列変更手段は、前記過去の問題において複数年度にわたって入れ替えを行う入れ替え制御手段であることが好ましい。
【００１１】
本発明の過去問システムにおいては、前記入れ替え制御手段は、前記問題データベースから同種の問題を抽出する同種問題抽出手段と、抽出された同種の問題において解答を振り分ける解答振り分け手段と、振り分けられた問題を用いて問題を再構成する再構成手段とを有することが好ましい。
【００１２】
本発明の過去問システムにおいては、前記配列変更手段として、前記順序変更手段又は前記入れ替え制御手段を選択する選択手段を具備することが好ましい。
【００１３】
本発明の過去問システムにおいては、複数年にわたる過去の問題に対応する解答・解説を格納する解答・解説データベースを具備することが好ましい。
【発明の効果】
【００１４】
本発明の過去問システムは、問題文を変えないで、選択枝の順序を変えたり、他の年度の選択枝との間で選択枝を入れ替えたりすることを自由に行えるので、問題のバリエーションを増やすことができ、ユーザは、問題配列から解答が推測できるという弊害を排除して過去問を解答することができる。
【発明を実施するための最良の形態】
【００１５】
以下、本発明の実施の形態について、添付図面を参照して詳細に説明する。本実施の形態においては、問題が複数の選択枝から解答を選択する短答式問題の場合について説明する。
【００１６】
図１は、本発明の一実施の形態に係る過去問システムの概略構成を示す図である。本発明に係る過去問システムは、システム全体を制御する制御部１１と、問題を表示するディスプレイ１２と、問題配列の変更のモードを選択するモード選択部１３と、問題順序を変更する順序変更部１４と、問題の入れ替えを制御する入れ替え制御部１５と、過去の問題データを格納する問題データベース（ＤＢ）１６と、問題に対する解答・解説データを格納する解答・解説データベース（ＤＢ）１７と、から主に構成される。
【００１７】
モード選択部１３では、問題配列を変更するモードを選択する。通常、問題は、複数（例えば、４つ又は５つ）の選択枝から正しい又は誤りの枝を選択するように構成されている。問題配列とは、この選択枝の配列のことを意味する。ここで、モードとしては、問題内の選択枝の順序を単に変更する順序変更モードと、データベースに格納されている問題全部の中から選択枝を抽出する入れ替えモードとがある。したがって、モード選択部１３では、ユーザの意向にしたがって順序変更モードか入れ替えモードかを選択する。モード選択部１３は、選択されたモード情報を順序変更部１４又は入れ替え制御部１５に出力する。  
【００１８】
順序変更部１４は、モード選択部１３で順序変更モードが選択された場合に、問題ＤＢ１６から抽出された問題内の選択枝の配列の順序を変更する。例えば、過去問の順序１,２,３,４,５を５,４,３,２,１のように逆の順序にしたり、３,５,２,４,１のようにまったくランダムにする。このようにして順序変更された問題の選択枝の順序の情報は、解説抽出部１８に出力される。また、順序変更部１４は、順序変更した選択枝に基づいて問題ＤＢから問題文を抽出する。このように問題文が抽出され配列された問題は、順序変更部１４から制御部１１に出力され、制御部１１は、この問題をディスプレイ１２に表示する。
【００１９】
入れ替え制御部１５は、モード選択部１３で入れ替えモードが選択された場合に、問題ＤＢ１６に格納されている全問題から同種の問題を抽出し、選択枝を再構成する。入れ替え制御部１５は、図１に示すように、同種問題抽出部１５１と、解答振り分け部１５２と、再構成部１５３とから主に構成されている。
【００２０】
同種問題抽出部１５１は、問題ＤＢ１６に格納されている全問題から同種の問題を抽出する。例えば、問題が「○○について正しいものはどれか」である場合、同種問題抽出部１５１は、問題ＤＢ１６から過去の全ての問題から「○○」に関する問題の選択枝を抽出する。同種問題抽出部１５１は、抽出された選択枝の情報を解答振り分け部１５２に出力する。抽出された選択枝の情報とは、少なくとも選択枝の番号、例えば、平成１１年第１５問２枝などの選択枝を特定できる情報を含む情報をいう。
【００２１】
解答振り分け部１５２は、選択枝の番号に基づいて解答・解説ＤＢ１７を参照して、選択枝の解答（○又は×など）を抽出する。そして、それらの選択枝を解答毎に振り分ける。解答振り分け部１５２は、振り分けられた選択枝の情報を再構成部１５３に出力する。振り分けられた選択枝の情報とは、選択枝の番号と解答とが対応づけられた情報をいう。
【００２２】
再構成部１５３は、振り分けられた選択枝の情報に基づいて、選択枝の配列を再構成する。上述のように、問題が「○○について正しいものはどれか」である場合には、振り分けられた選択枝の情報から、誤りのものを４つ、正しいものを１つ抽出し、抽出した選択枝を配列する（選択枝が５つの場合）。したがって、選択枝１（平成７年第２問枝４：○）、選択枝２（平成１１年第４３問枝４：×）、選択枝３（平成９年第３３問枝１：×）、選択枝４（平成１４年第２８問枝３：×）、選択枝５（平成１０年第５問枝５：×）のように配列する。そして、再構成部１５３は、配列した選択枝の選択枝の番号に基づいて問題ＤＢ１６から問題文を抽出する。このように問題文が抽出され配列された問題は、入れ替え制御部１５から制御部１１に出力され、制御部１１は、この問題をディスプレイ１２に表示する。また、このようにして入れ替えられた問題の選択枝の番号の情報は、解説抽出部１８に出力される。
【００２３】
解答・解説抽出部１８は、順序変更部１４からの選択枝の順序の情報及び入れ替え制御部１５からの選択枝の番号の情報にしたがって解答・解説ＤＢ１７から解答及び解説文を抽出する。このように抽出された解答及び解説文は、解答・解説抽出部１８から制御部１１に出力され、制御部１１は、この解答及び解説文をディスプレイ１２に表示する。
【００２４】
次に、本発明に係る過去問システムの手順について図２〜図６を用いて説明する。
図２は、本発明の一実施の形態に係る過去問システムの操作手順を説明するためのフローチャートである。図３〜図６は、本発明の一実施の形態に係る過去問システムにおける画面表示の例を示す図である。
【００２５】
ユーザが過去問システムを利用する場合、図３に示すような画面がディスプレイ上に表示される。ステップＳＴ１０１では、問題配列のモードを選択する。具体的には、ユーザは、順序変更モード（各問題内における枝の並べ替え）か入れ替えモード（年度にわたる枝の並べ替え）かを選択する。
【００２６】
ユーザが順序変更モードを選択すると（ステップＳＴ１０２）、図４に示すような画面が表示される。図４に示す画面においては、ユーザがこれから解答する問題の年度を画面上で選択する（ステップＳＴ１０３）。また、順序変更の方法を選択する（ステップＳＴ１０４）。具体的には、選択枝の順序を逆にするのか（ステップＳＴ１０５）、選択枝を並べ替えるか（ステップＳＴ１０６）を画面上で選択する。
【００２７】
順序変更の方法を選択すると、図５に示すように、画面に問題が表示される（ステップＳＴ１１１）。ユーザは、画面に表示された問題に対して解答を行う（ステップＳＴ１１２）。解答は、所定の解答画面（図示せず）で行われる。解答画面においてすべての問題を解答し、採点請求を行うと、自動的に採点が行われる（ステップＳＴ１１３）。なお、採点は、制御部１１が解答・解説ＤＢ１７から解答を抽出して行うことができる。採点が行われると、解答・解説ＤＢ１７から解説抽出部１８が抽出した解説文が画面上に表示される（ステップＳＴ１１４）。
【００２８】
一方、ユーザが入れ替えモードを選択すると（ステップＳＴ１０７）、問題ＤＢ１６に格納されている全問題から同種の問題を抽出する（ステップＳＴ１０８）。次いで、抽出された選択枝の番号に基づいて選択枝の解答（○又は×など）を抽出し、それらの選択枝を解答毎に振り分ける（ステップＳＴ１０９）。次いで、振り分けられた選択枝の情報に基づいて、選択枝の配列を再構成する（ステップＳＴ１１０）。この再構成した選択枝が、図５に示すように、画面に問題が表示される（ステップＳＴ１１１）。
【００２９】
ユーザは、画面に表示された問題に対して解答を行う（ステップＳＴ１１２）。解答は、所定の解答画面（図示せず）で行われる。解答画面においてすべての問題を解答し、採点請求を行うと、自動的に採点が行われる（ステップＳＴ１１３）。なお、採点は、制御部１１が解答・解説ＤＢ１７から解答を抽出して行うことができる。採点が行われると、解答・解説ＤＢ１７から解説抽出部１８が抽出した解説文が、図６に示すように、画面上に表示される（ステップＳＴ１１４）。
【００３０】
このように上記実施の形態に係る過去問システムによれば、問題文を変えないで、選択枝の順序を変えたり、他の年度の選択枝との間で選択枝を入れ替えたりすることを自由に行えるので、問題のバリエーションを増やすことができ、ユーザは、問題配列から解答が推測できるという弊害を排除して過去問を解答することができる。
【００３１】
また、本発明においては、ユーザがあらかじめサイト上で個人情報を登録し、会員ＩＤやパスワードを取得した後に、そのＩＤやパスワードを用いてサイト上で本発明に係る過去問システムを利用するように構成しても良い。この場合、過去問システム管理センターを設置してここに問題ＤＢや解答・解説ＤＢを備えておき、この過去問システム管理センターとユーザの端末とがネットワークを介して接続されて、ユーザ認証が行われることにより、ユーザが過去問システムを利用できるようになる。この場合、問題ＤＢや解答・解説ＤＢは、多数のパターンで順序変更や入れ替えを行った問題をあらかじめ格納するようにしても良い。このようにすることにより、ユーザがアクセスしたときに迅速に問題をダウンロードすることができる。
【００３２】
本発明は上記実施の形態に限定されず、種々変更して実施することが可能である。例えば、上記実施の形態で示した画面表示のレイアウトや問題における選択枝の数などについては上記実施の形態に限定されず、適宜変更して実施することが可能である。
【００３３】
また、上記実施の形態においては、モード選択から解説表示までの処理をハードウェアで処理する場合について説明しているが、本発明においては、モード選択から解説表示までの処理をソフトウェアで構成しても良い。例えば、モード選択から解説表示までの処理をプログラム化し、そのプログラムをＲＯＭに格納し、そのプログラムにしたがってＣＰＵの指示により動作させるように構成しても良い。また、このプログラムをコンピュータで読み取り可能な記憶媒体に格納し、この記憶媒体のプログラムをコンピュータのＲＡＭに記録して、そのプログラムにしたがって動作させるようにしても良い。このような場合においても、上記実施の形態と同様の作用、効果を呈する。
【産業上の利用可能性】
【００３４】
本発明は、国家試験などの試験問題全般の過去問に適用することができる。
【図面の簡単な説明】
【００３５】
【図１】本発明の一実施の形態に係る過去問システムの概略構成を示す図である。
【図２】本発明の一実施の形態に係る過去問システムの操作手順を説明するためのフローチャートである。
【図３】本発明の一実施の形態に係る過去問システムにおける画面表示の例を示す図である。
【図４】本発明の一実施の形態に係る過去問システムにおける画面表示の例を示す図である。
【図５】本発明の一実施の形態に係る過去問システムにおける画面表示の例を示す図である。
【図６】本発明の一実施の形態に係る過去問システムにおける画面表示の例を示す図である。
【符号の説明】
【００３６】
１１…制御部
１２…ディスプレイ
１３…モード選択部
１４…順序変更部
１５…入れ替え制御部
１６…問題データベース
１７…解答・解説データベース
１８…解説抽出部
１５１…同種問題抽出部
１５２…解答振り分け部
１５３…再構成部
【図１】
2005266451.tif 000003
【図２】
2005266451.tif 000004
【図３】
2005266451.tif 000005
【図４】
2005266451.tif 000006
【図５】
2005266451.tif 000007
【図６】
2005266451.tif 000008